(57)【要約】 【課題】  省スペース化して、空間開放部から画像が形成された被転写体を除去する操作性を確保しても、簡単な構造で空間開放部支持部材の取り扱いの煩わしさも無くその管理も容易で、原稿画像を正しく読み取り、高品質の被転写体の排出や高品質の画像形成の行われる画像形成装置を提供する。【解決手段】  上部に配置された原稿画像読み取り手段１と画像形成手段２の間に形成された空間の装置本体０ａの前面０ａ１と側面０ａ２の一部を開放した空間開放部３と、空間開放部３に画像が形成された被転写体Ｐを排出する排出手段４と、排出手段４の被転写体Ｐを排出する領域外に空間開放部３を形成する原稿画像読み取り手段１、又は、排出される被転写体Ｐを積載する積載部材３ａを支持する空間開放部支持部材５とからなる。【選択図】        図１
2005062578.tif 000002
【特許請求の範囲】
【請求項１】
原稿画像を読み取って被転写体に画像を形成して排出する画像形成装置において、原稿画像を読み取る原稿画像読み取り手段と、上記原稿画像読み取り手段で読み取られた画像データや他の画像データに基づいて被転写体に画像を形成する画像形成手段と、上部に配置された上記原稿画像読み取り手段と上記画像形成手段の間に形成されて装置本体の前面と側面の一部を開放した空間開放部と、上記空間開放部に画像が形成された被転写体を排出する排出手段と、上記排出手段の被転写体を排出する領域外に上記空間開放部を形成する上記原稿画像読み取り手段又は排出される被転写体を積載する積載部材を支持する空間開放部支持部材とからなることを特徴とする画像形成装置。
【請求項２】
請求項１に記載の画像形成装置において、画像形成手段は、電子写真方法でトナー画像を形成することを特徴とする画像形成装置。
【請求項３】
請求項１又は２に記載の画像形成装置において、空間開放部は、排出手段から排出される被転写体を上下方向に積載して複数段に蓄える積載部材を備えることを特徴とする画像形成装置。
【請求項４】
請求項１、２又は３に記載の画像形成装置において、排出手段は、画像が形成された被転写体を上下方向に形成した複数段の積載部材上に排出する開口部を備えることを特徴とする画像形成装置。
【請求項５】
請求項１、２、３又は４に記載の画像形成装置において、空間開放部支持部材は、原稿画像読み取り手段を空間開放部の前面側を支持する原稿画像読み取り手段支持部材からなることを特徴とする画像形成装置。
【請求項６】
請求項５に記載の画像形成装置において、原稿画像読み取り手段支持部材は、原稿画像読み取り手段内、又は、画像形成手段内に設けた格納部に格納されることを特徴とする画像形成装置。
【請求項７】
請求項１、２、３、４、５又は６に記載の画像形成装置において、原稿画像読み取り手段支持部材は、空間開放部に排出手段から排出される被転写体の排出方向を案内する案内形状部を備えることを特徴とする画像形成装置。
【請求項８】
請求項１、２、３又は４に記載の画像形成装置において、空間開放部支持部材は、空間開放部内の積載部材を支持する積載部材支持部材を備えることを特徴とする画像形成装置。
【請求項９】
請求項８に記載の画像形成装置において、積載部材支持部材は、空間開放部内の積載部材を支持する状態、又は、空間開放部内の積載部材を支持しない状態の選択が可能であることを特徴とする画像形成装置。
【請求項１０】
請求項８又は９に記載の画像形成装置において、積載部材支持部材は、装置本体側の係合部と着脱可能に嵌合する装置本体係合部を備えたことを特徴とする画像形成装置。
【請求項１１】
請求項８、９又は１０に記載の画像形成装置において、積載部材支持部材は、積載部材側の係合部と着脱可能に嵌合する積載部材係合部を備えたことを特徴とする画像形成装置。
【請求項１２】
請求項１０又は１１に記載の画像形成装置において、積載部材係合部は、係合部、又は、係合部から脱落を防止する脱落防止部材を備えたことを特徴とする画像形成装置。
【請求項１３】
請求項１２に記載の画像形成装置において、脱落防止部材は、複数個からなることを特徴とする画像形成装置。
【請求項１４】
請求項９、１０、１１、１２又は１３に記載の画像形成装置において、積載部材支持部材は、空間開放部内の積載部材を支持しない状態の選択時に装置本体内、又は、積載部材内側に格納する格納部を備えたことを特徴とする画像形成装置。
【請求項１５】
請求項１４に記載の画像形成装置において、格納部は、積載部材支持部材を支持して摺動可能な摺動部と、上記摺動部を格納方向に案内する案内溝を備えていることを特徴とする画像形成装置。
【発明の詳細な説明】
【技術分野】
【０００１】
本発明は、画像形成装置に関し、詳しくは、原稿画像を読み取って被転写体に画像を形成して排出する複写機、ファクシミリ装置、プリンタあるいはこれ等の複合機等の画像形成装置に関する。
【背景技術】
【０００２】
複写機、ファクシミリ装置、プリンタ等の従来の画像形成装置において、画像形成の済んだ用紙を装置本体の左右の側面側に排紙することなく、原稿画像読み取り装置と画像形成部との間、つまり、装置本体の胴内に排紙するようにして、装置の占有面積を狭くして省スペース化することは公知である（特許文献１、特許文献２、特許文献３等を参照）。
図１０乃至図１２において、従来の画像形成装置１００における原稿画像読み取り装置１０１の下方において画像形成部１０２との間に形成される転写紙排出スペース１０３は、転写紙を除去する操作性を考慮して、前面１０３ｂの図示の装置本体１００ａの左前面１００ａ１、又は、図示しないが右前面が開放されている。従って、従来の画像形成装置１００における原稿画像読取り装置１０１は、３点支持となる。
このように転写紙排出スペース１０３の前面１０３ｂ側を開放した構造にすると、図示のように原稿画像読取り装置１０１の左前は支持がない。
その為に、画像形成装置１００を組立工場から出荷して、市場に納品の過程で、移動中の不測の振動や衝撃を受けた場合に、原稿画像読み取り装置１０１は下降し、ねじれ変形することがあった。
原稿画像読み取り装置１０１は、この状態で、原稿画像を正しく読み取れないために、スキュー画像として異常画像を出力することになる。
従って、従来の画像形成装置１００の移動時には、転写紙排出スペース１０３の開放部に、転写用紙の先端を規制するエンドフエンス１０６の取り付け部１０６ａを利用して（図１１を参照）、図示の支持部材１０５を設置して、原稿画像読み取り装置１０１の変形を抑制することがあった（図１２を参照）。
然し、支持部材１０５を設置したままの状態では、大きいサイズの転写用紙を排出口１０４から排出した際に、支持部材１０５と干渉して、破れ、折れ、巻きぐせ等の排紙品質が低下していた。
更に、胴内排紙型の従来の画像形成装置でも、１台で複数の機能をもつ複合機として使用されている。
【０００３】
このような胴内排紙型の従来の画像形成装置では、例えば、複写機とファクシミリ装置の機能を併せ持つ複合機では、コピーとファクシミリ機能を実施する際に異なった排紙口に排出できれば、既に送られてきていたファクシミリ紙とコピー紙が誤って混入することがなく便利であることから、２つの排紙装置を上下に並べることで、占有面積を増やさずに仕分けを可能にしている。
このような画像形成装置では、胴内に排出積載される用紙の最大長さをＤＬＴ（ダブルレターサイズ）に想定し、ＤＬＴ（ダブルレターサイズ）は装置本体の側面から突出しないように排紙装置の幅が設定されている。
このような胴内排紙型の画像形成装置における上下に並べられた排紙装置の上側排紙装置の上側排紙積載部材の支持方法は、排紙装置の上側排紙装置の奥側、及び、排紙装置の上側排紙装置の側面で行えば、強度は確保できる。
然し、定形サイズ以外にも特殊用紙として長尺用紙にも対応しなければならない画像形成装置では、排紙装置の上側排紙装置側面に支持部材を設けると長尺用紙は胴内に収まりきらず、支持部材と干渉し積載できない。
この為に、排紙装置の上側排紙積載部材は奥側のみの片持ちで支持することになってしまい、排紙装置の上側排紙装置の上側排紙積載部材の積載容量によっては、排紙装置の上側排紙装置の上側排紙積載部材が垂れ下がり、排紙品質が低下していた。
従って、従来の画像形成装置は、原稿画像読み取り装置と画像形成部の間、つまり、装置本体の胴内に排紙するようにして、装置の占有面積を狭くすることによって省スペース化して、転写用紙を除去する操作性を確保するために装置本体の左前面、又は、右前面を開放すると、原稿画像読み取り装置や既に送られてきていたファクシミリとコピー紙の混入を防止する上側排紙積載部材は、下降してねじれ変形して、原稿画像を正しく読み取れないために、スキュー画像として異常画像を出力し、又、支持部材を設けると長尺用紙は、胴内に収まりきらずに、支持部材と干渉して積載できなくなり、破れ、折れ、巻きぐせ等の排紙品質が低下すると言う不具合が生じていた。
【特許文献１】特開２０００−２３８９４９公報
【特許文献２】特開２０００−３０２３１１公報
【特許文献３】特開２００１−１３４０３３公報
【発明の開示】
【発明が解決しようとする課題】
【０００４】
そこで本発明の課題は、このような問題点を解決するものである。即ち、省スペース化して、空間開放部から画像が形成された被転写体を除去する操作性を確保したとしても、簡単な構造で空間開放部支持部材の取り扱いの煩わしさも無くその管理も容易で、原稿画像を正しく読み取り、高品質の被転写体の排出や高品質の画像形成の行われる画像形成装置を提供することを目的とする。
【課題を解決するための手段】
【０００５】
上記目的を達成するために、請求項１の本発明は、原稿画像を読み取って被転写体に画像を形成して排出する画像形成装置において、原稿画像を読み取る原稿画像読み取り手段と、上記原稿画像読み取り手段で読み取られた画像データや他の画像データで被転写体に画像を形成する画像形成手段と、上部に配置された上記原稿画像読み取り手段と上記画像形成手段の間に形成された空間の装置本体の前面と側面の一部を開放した空間開放部と、上記空間開放部に画像が形成された被転写体を排出する排出手段と、上記排出手段の被転写体を排出する領域外に上記空間開放部を形成する上記原稿画像読み取り手段又は排出される被転写体を積載する積載部材を支持する空間開放部支持部材とからなる画像形成装置であることを最も主要な特徴とする。
請求項２の本発明は、請求項１に記載の画像形成装置において、画像形成手段は、電子写真方法でトナー画像を形成する画像形成装置であることを主要な特徴とする。
請求項３の本発明は、請求項１又は２に記載の画像形成装置において、空間開放部は、排出手段から排出される被転写体を上下方向に積載して複数段に蓄える積載部材からなる画像形成装置であることを主要な特徴とする。
請求項４の本発明は、請求項１、２又は３に記載の画像形成装置において、排出手段は、画像が形成された被転写体を上下方向に形成した複数段に排出する開口部から成る画像形成装置であることを主要な特徴とする。
請求項５の本発明は、請求項１、２、３又は４に記載の画像形成装置において、空間開放部支持部材は、原稿画像読み取り手段を空間開放部の前面側を支持する原稿画像読み取り手段支持部材からなる画像形成装置であることを主要な特徴とする。
【０００６】
請求項６の本発明は、請求項５に記載の画像形成装置において、原稿画像読み取り手段支持部材は、原稿画像読み取り手段内、又は、画像形成手段内に設けた格納部に格納される画像形成装置であることを主要な特徴とする。
請求項７の本発明は、請求項１、２、３、４、５又は６に記載の画像形成装置において、原稿画像読み取り手段支持部材は、空間開放部に排出手段から排出される被転写体の排出方向を案内する案内形状部からなる画像形成装置であることを主要な特徴とする。
請求項８の本発明は、請求項１、２、３又は４に記載の画像形成装置において、空間開放部支持部材は、空間開放部内の積載部材を支持する積載部材支持部材からなる画像形成装置であることを主要な特徴とする。
請求項９の本発明は、請求項８に記載の画像形成装置において、積載部材支持部材は、空間開放部内の積載部材を支持する状態、又は、空間開放部内の積載部材を支持しない状態の選択が可能である画像形成装置であることを主要な特徴とする。
請求項１０の本発明は、請求項８又は９に記載の画像形成装置において、積載部材支持部材は、装置本体側の係合部と着脱可能に嵌合する装置本体係合部を形成した画像形成装置であることを主要な特徴とする。
【０００７】
請求項１１の本発明は、請求項８、９又は１０に記載の画像形成装置において、積載部材支持部材は、積載部材側の係合部と着脱可能に嵌合する積載部材係合部を形成した画像形成装置であることを主要な特徴とする。
請求項１２の本発明は、請求項１０又は１１に記載の画像形成装置において、積載部材係合部は、係合部、又は、係合部から脱落を防止する脱落防止部材からなる画像形成装置であることを主要な特徴とする。
請求項１３の本発明は、請求項１２に記載の画像形成装置において、脱落防止部材は、複数個からなる画像形成装置。
請求項１４の本発明は、請求項９、１０、１１、１２又は１３に記載の画像形成装置において、積載部材支持部材は、空間開放部内の積載部材を支持しない状態の選択時に装置本体内、又は、積載部材内側に格納する格納部からなる画像形成装置であることを主要な特徴とする。
請求項１５の本発明は、請求項１４に記載の画像形成装置において、格納部は、積載部材支持部材を支持して摺動可能な摺動部と、上記摺動部を格納方向に案内する案内溝からなる画像形成装置であることを主要な特徴とする。
【発明の効果】
【０００８】
請求項１の発明によれば、省スペース化して、空間開放部の前面から画像が形成された被転写体を除去する操作性を確保して被転写体の排出や画像形成が行われる画像形成装置を提供することが出来るようになった。
請求項２の発明によれば、省スペース化して、空間開放部の前面から画像が形成された被転写体を除去する操作性を確保して被転写体の排出や高品質の画像形成が行われる画像形成装置を提供することが出来るようになった。
請求項３の発明によれば、被転写体が混入して積載されて蓄えられることが防止されて便利であり、占有面積を増やさずに仕分けが可能で省スペース化して、空間開放部の前面から画像が形成された被転写体を除去する操作性を確保して被転写体の排出や画像形成が行われる画像形成装置を提供することが出来るようになった。
請求項４の発明によれば、画像が形成された被転写体を誤って混入して排出することが防止されて便利であり、占有面積を増やさずに仕分けを可能にして省スペース化して、空間開放部の前面から画像が形成された被転写体を除去する操作性を確保して高品質の被転写体の排出や画像形成が行われる画像形成装置を提供することが出来るようになった。
請求項５の発明によれば、省スペース化して、空間開放部の前面から画像が形成された被転写体を除去する操作性を確保して、原稿画像読み取り手段の下降やねじれ変形が防止されることによって正常画像を出力して原稿画像を正しく読み取り、被転写体の排出や画像形成が行われる画像形成装置を提供することが出来るようになった。
【０００９】
請求項６の発明によれば、原稿画像読み取り手段支持部材を取り外しによる除去も、その後に廃棄されることも無くなり環境上も好ましく、省スペース化して、空間開放部の前面から画像が形成された被転写体を除去する操作性を確保して、原稿画像読み取り手段の下降やねじれ変形が防止されることによって正常画像を出力して原稿画像を正しく読み取り、被転写体の排出や画像形成が行われる画像形成装置を提供することが出来るようになった。
請求項７の発明によれば、省スペース化して、空間開放部の前面から画像が形成された被転写体を除去する操作性を確保して、被転写体のひっかかり耳折れ等の発生を防止して高品質の排出や画像形成が行われる画像形成装置を提供することが出来るようになった。
請求項８の発明によれば、省スペース化して、空間開放部の前面から画像が形成された被転写体を除去する操作性を確保して、排出されて積載される画像が形成済みの被転写体の垂れ下がりを防止して被転写体の高品質の排出や画像形成が行われる画像形成装置を提供することが出来るようになった。
請求項９の発明によれば、省スペース化して、空間開放部の前面から画像が形成された長尺の被転写体を除去する操作性を確保して、排出されて積載される画像が形成済みの被転写体の垂れ下がりを防止して被転写体の高品質の排出や画像形成が行われる画像形成装置を提供することが出来るようになった。
請求項１０の発明によれば、省スペース化して、装置本体側の係合部と装置本体係合部を着脱可能で嵌合することによって、空間開放部の前面から画像が形成された被転写体を除去する操作性を確保して、排出されて積載される画像が形成済みの被転写体の垂れ下がりを防止して被転写体の高品質の排出や画像形成が行われる画像形成装置を提供することが出来るようになった。
【００１０】
請求項１１の発明によれば、省スペース化して、積載部材側の係合部と積載部材係合部を着脱可能で嵌合することによって、空間開放部の前面から画像が形成された被転写体を除去する操作性を確保して、排出されて積載される画像が形成済みの被転写体の垂れ下がりを防止して被転写体の高品質の排出や画像形成が行われる画像形成装置を提供することが出来るようになった。
請求項１２の発明によれば、省スペース化して、装置本体側の係合部と装置本体係合部、又は、積載部材側の係合部と積載部材係合部を着脱可能で脱落を防止して嵌合することによって、空間開放部の前面から画像が形成された被転写体を除去する操作性を確保して、排出されて積載される画像が形成済みの被転写体の垂れ下がりを防止して被転写体の高品質の排出や画像形成が行われる画像形成装置を提供することが出来るようになった。
請求項１３の発明によれば、省スペース化して、装置本体側の係合部と装置本体係合部、又は、積載部材側の係合部と積載部材係合部を着脱可能で確実に脱落を防止して嵌合することによって、空間開放部の前面から画像が形成された被転写体を除去する操作性を確保して、排出されて積載される画像が形成済みの被転写体の垂れ下がりを防止して被転写体の高品質の排出や画像形成が行われる画像形成装置を提供することが出来るようになった。
請求項１４の発明によれば、省スペース化して、空間開放部支持部材の取り扱いの煩わしさも無くその管理も容易であり、空間開放部の前面から画像が形成された長尺の被転写体を除去する操作性を確保して、排出されて積載される画像が形成済みの被転写体の垂れ下がりを防止して被転写体の高品質の排出や画像形成が行われる画像形成装置を提供することが出来るようになった。
請求項１５の発明によれば、省スペース化して、簡単な構造で空間開放部支持部材の取り扱いの煩わしさも無くその管理も容易であり、空間開放部の前面から画像が形成された長尺の被転写体を除去する操作性を確保して、排出されて積載される画像が形成済みの被転写体の垂れ下がりを防止して被転写体の高品質の排出や画像形成が行われる画像形成装置を提供することが出来るようになった。
【発明を実施するための最良の形態】
【００１１】
次に、本発明の実施の形態は、図面を参照して詳細に説明する。
図１乃至図３において、原稿画像を読み取って被転写体に画像を形成して排出する画像形成装置０は、原稿（Ｏ）の原稿画像を読み取る原稿画像読み取り手段１と、上記原稿画像読み取り手段１で読み取られた画像データや他の画像データで被転写体（Ｐ）の転写用紙に画像を形成する画像形成手段２と、上部に配置された上記原稿画像読み取り手段１と上記画像形成手段２との間に形成された空間の装置本体０ａの前面０ａ１と側面０ａ２の一部を開放した空間開放部３と、上記空間開放部３に画像が形成された被転写体（Ｐ）の転写用紙を排出する排出手段４の開口部４ａと、開口部４ａから被転写体（Ｐ）を排出する領域外に上記空間開放部３を形成する上記原稿画像読み取り手段１、又は、排出される被転写体（Ｐ）を積載する積載部材３ａの第２積載部材３ａ２を支持する空間開放部支持部材５の原稿画像読み取り手段支持部材５ａ、又は、積載部材支持部材５ｂとからなり、省スペース化して、上記空間開放部３の前面３ｂから画像が形成された被転写体（Ｐ）を除去する操作性を確保しても、原稿（Ｏ）の原稿画像を正しく読み取り、高品質の被転写体（Ｐ）の排出や画像形成が行われる。
【００１２】
上記画像形成装置０の電子写真方法でトナー画像を形成する複写機は、上部には、原稿（０）の原稿画像を読み取る上記原稿画像読み取り手段１のスキャナが配置されている。
更に、上記原稿画像読み取り手段１のスキャナの上部には、必要に応じて図示するような自動原稿供給装置（ＡＤＦ）を搭載することも可能である。
他方、下部には、上記画像形成手段２を載置して被転写体（Ｐ）を供給する被転写体供給装置６が配置されている。
上記原稿画像読み取り手段１のスキャナで、原稿（０）の原稿画像の画像データを読み取る。
その画像データ、又は、外部から送信されて来る画像データ等を画像処理部２ｈで画像処理した後に、トナー画像を形成する電子写真方法による、画像書き込み装置２ｃのレーザーダイオードを発光させることにより、帯電器２ｂで均一に帯電された像担持体２ａのドラム形状の感光体ドラム上に静電潜像を形成する。
【００１３】
上記画像書き込み装置２ｃのレーザーダイオードを発光させて形成した静電潜像は、現像装置２ｄで顕像化してトナー画像を形成する。
上記現像装置２ｄで顕像化したトナー画像は、転写器２ｅで、上記被転写体供給装置６から搬送されて来る被転写体（Ｐ）に転写される。
上記転写器２ｅで被転写体（Ｐ）に転写されたトナー画像は、定着器２ｆにて加熱と加圧後に、開口部４ａである第１開口部４ａ１、又は、第２開口部４ａ２から、上記空間開放部３の上記積載部材３ａの第１積載部材３ａ１に送り出して収納される。
又は、上記空間開放部３の上記積載部材３ａの上記第２積載部材３ａ２に送り出して収納されるようになっている。
トナー画像が形成済みの被転写体（Ｐ）を第２積載部材３ａ２に排出する際の動作は、開口部４ａである第１開口部４ａ１の第１排紙ローラ４ａ１１によって分岐爪４ａ１２を経て、第２排紙ローラ４ａ２１によって、積載部材３ａの第２積載部材３ａ２に送り出して積載されて収納されるようになっている。
上記排出手段４は、画像が形成された被転写体（Ｐ）を上下方向に形成した複数段に排出する第１開口部４ａ１と第２開口部４ａ２の複数段から排出するから、例えば、複写機とファクシミリ装置の機能を併せ持つ複合機でも、既に送られてきていたファクシミリ紙とコピー紙が誤って混入して排出されることが防止されて便利であり、占有面積を増やさずに仕分けを可能にして省スペースの上記画像形成装置０を提供することが出来るようになった。
【００１４】
上記空間開放部３は、第１開口部４ａ１と第２開口部４ａ２の複数段から排出されるトナー画像が形成済みの被転写体（Ｐ）を、上下方向に積載して複数段に蓄える第１積載部材３ａ１と第２積載部材３ａ２の複数段に蓄えるから、例えば、複写機とファクシミリ装置の機能を併せ持つ複合機でも、既に、送られてきていたファクシミリ紙とコピー紙が誤って混入して積載されて蓄えられることが防止されて便利であり、占有面積を増やさずに仕分けが可能で省スペースの上記画像形成装置０を提供することが出来る。
上記空間開放部３の被転写体（Ｐ）の上記第２積載部材３ａ２は、上記装置本体０ａの上記前面０ａ１のトナー画像が形成済みの被転写体（Ｐ）の図示の矢印（Ａ）方向の搬送方向の上流側（図３の右側）と奥側で保持されている（図３を参照）。
上記空間開放部３の上記積載部材３ａの上記第２積載部材３ａ２を、上記装置本体０ａの上記前面０ａ１のトナー画像が形成済みの被転写体（Ｐ）の図示の矢印（Ａ）方向の搬送方向の上流側（図３の右側）と奥側の２点では、上記装置本体０ａの上記前面０ａ１のトナー画像が形成済みの被転写体（Ｐ）の図示の矢印（Ａ）方向の搬送方向の下流側（図３の左側）が、排出されて積載されるトナー画像が形成済みの被転写体（Ｐ）の自重で垂れ下がってしまうことになる。
然し、上記画像形成装置０は、そこで、トナー画像が形成済みの被転写体（Ｐ）の図示の矢印（Ａ）方向の搬送方向の下流側（図３の左側）に、第２積載部材３ａ２を支持する積載部材支持部材５ｂを着脱可能に設けることで、垂れ下がりを防止して、上記第２積載部材３ａ２を支持する状態と支持しない状態の選択によって長尺の被転写体（Ｐ）を使用の際にも操作性が優れ、高品質の排出が行われるようになっている。
【００１５】
積載部材支持部材５ｂの前面０ａ１から奥行き方向の位置は、強度の面からは上記前面０ａ１が最も望ましいが、上記空間開放部３の上記積載部材３ａの上記第１積載部材３ａ１に排出されて積載されたトナー画像が形成済みの被転写体（Ｐ）を斜めに引き出そうとすると抵抗になってしまう。
従って、斜めに引き出せる角度が大きくなる中央付近の位置に設けることが望ましい。
この位置に設けると、第１積載部材３ａ１に、ＤＬＴ（ダブルレターサイズ）以上のいわゆる長尺の被転写体（Ｐ）は積載不能になってしまう。
実使用としては、このような特殊紙の使用頻度は高くはないので、長尺の被転写体（Ｐ）を使用の際には、上記空間開放部支持部材５の上記積載部材支持部材５ｂは着脱可能になっているから、取り外すことで対応することが容易になっている。
他方、上記像担持体２ａのドラム形状の感光体ドラムは、被転写体（Ｐ）にトナー画像を転写した後に、上記像担持体２ａのドラム形状の感光体ドラム上に付着した残留トナーを、クリーニング装置２ｇによって掻き落とすことによってクリーニングされて、次工程の画像形成に備えるようになっている。
従って、省スペース化して、上記空間開放部３から画像が形成された被転写体（Ｐ）を除去する操作性を確保しても、原稿（Ｏ）の原稿画像を正しく読み取り、高品質の被転写体（Ｐ）の排出や高品質の画像形成が行われる上記画像形成装置０を提供することが出来るようになった。
【００１６】
図４において、上記画像形成装置０における上記原稿画像読み取り手段１の前面１ａ側を上記空間開放部３で支持する原稿画像読み取り手段支持部材５ａは、図示のように開口部４ａから被転写体（Ｐ）を排出する転写用紙排出領域の外に設置されている。
これにより、上記原稿画像読み取り手段１は下降やねじれ変形が防止されることによって正常画像を出力して原稿画像を正しく読み取り、原稿画像読み取り手段支持部材５ａを残したまま、大きいサイズの被転写体（Ｐ）を開口部４ａから排出した場合においても、大きいサイズの被転写体（Ｐ）に影響を及ぼすことはなく、高品質の排出が行われる上記画像形成装置０を提供することが出来るようになった。
図５と図６において、原稿画像読み取り手段支持部材５ａは原稿画像読み取り手段１の側部によって図示の矢印（Ｂ）方向に回動可能に保持されて（図５を参照）、図示の上記原稿画像読み取り手段１の上記前面１ａの左側の装置内部、又は、図示しない画上記像形成手段２の前面の左側の装置内部内に設けた格納部５ａ１内に格納されるようになっている（図６を参照）。
これにより、原稿画像読み取り手段支持部材５ａの機能が不要の場合には上記格納部５ａ１内に格納することにより、上記空間開放部３に排出された被転写体（Ｐ）を取り除く際に障害となることもなく操作性も向上して確保され、従来の画像形成装置の支持部材のように取り外しによる除去も、その後に、廃棄されることも無くなり、環境上も好ましく、被転写体（Ｐ）の高品質の排出が行われる上記画像形成装置０を提供することが出来るようになった。
【００１７】
図７において、原稿画像読み取り手段支持部材５ａは、上記空間開放部３に開口部４ａから排出される被転写体（Ｐ）を、図示の矢印（Ａ）方向の排出方向に案内する斜め形状の案内形状部５ａ２が設けてある。
これにより、開口部４ａから上記空間開放部３に被転写体（Ｐ）が不測にも斜め排出されても、上記案内形状部５ａ２によって、被転写体（Ｐ）の斜め排出に対して補正されるようになっている。
従って、開口部４ａから上記空間開放部３に被転写体（Ｐ）が不測にも、原稿画像読み取り手段支持部材５ａ方面への斜め排出をした場合にも、原稿画像読み取り手段支持部材５ａに被転写体（Ｐ）端部がひっかかり耳折れ等の発生を防止して、高品質の排出が行われる上記画像形成装置０を提供することが出来るようになった。
【００１８】
図８において、上記画像形成装置０における上記空間開放部３の上記積載部材３ａの上記第２積載部材３ａ２を支持する上記空間開放部支持部材５の上記積載部材支持部材５ｂは、上記装置本体０ａ側の係合部０ａ３と着脱可能に嵌合する装置本体係合部５ｂ１を形成して着脱可能に設けられている。
更に、上記空間開放部３の上記積載部材３ａの上記第２積載部材３ａ２を支持する上記空間開放部支持部材５の上記積載部材支持部材５ｂは、上記空間開放部３の上記積載部材３ａの上記第２積載部材３ａ２側の係合部３ｃと着脱可能に嵌合する積載部材係合部５ｂ２を形成して着脱可能に設けられている。
従って、省スペース化して、上記空間開放部３の上記前面３ｂ側から画像が形成された長尺の被転写体（Ｐ）を除去する操作性も確保して、排出されて積載される画像が形成済みの被転写体（Ｐ）の垂れ下がりを防止して被転写体（Ｐ）の高品質の排出や画像形成が行われる上記画像形成装置０を提供することが出来るようになった。
上記空間開放部支持部材５の上記積載部材支持部材５ｂは、上記装置本体０ａ側の上記係合部０ａ３の係止部０ａ３１、又は、上記空間開放部３の上記積載部材３ａの上記第２積載部材３ａ２側の上記係合部３ｃの係止部３ｃ１に、上記装置本体係合部５ｂ１と上記積載部材係合部５ｂ２に形成された複数個の脱落防止部材５ｂ４の脱落防止部材５ｂ４１、又は、脱落防止部材５ｂ４２が係止されて、確実に脱落を防止するようになっている。
【００１９】
図９において、上記画像形成装置０における、上記空間開放部支持部材５の上記積載部材支持部材５ｂは、上記空間開放部３の上記積載部材３ａの上記第２積載部材３ａ２を支持しない状態の選択時に図示しない上記装置本体０ａの内側、又は、図示のような上記空間開放部３の上記積載部材３ａの上記第２積載部材３ａ２の内側に形成された格納部５ｂ３に格納されるようになっている。
上記格納部５ｂ３は、上記空間開放部支持部材５の上記積載部材支持部材５ｂを支持して摺動可能な摺動部５ｂ３１を案内溝５ｂ３２によって図示の矢印（Ｃ）方向の格納方向、又は、図示の矢印（Ｄ）方向の支持方向に案内して回動するようになっている。
従来は、上記空間開放部支持部材５の上記積載部材支持部材５ｂのような小さい部品を取り外すと、部品の保管の煩わしさがあるけれども、上記画像形成装置０においては、上記空間開放部３の上記積載部材３ａの上記第２積載部材３ａ２の内側に形成された長穴の上記格納部５ｂ３を設け、上記空間開放部支持部材５の上記積載部材支持部材５ｂをスライド可能に配置することによって、上記空間開放部支持部材５の上記積載部材支持部材５ｂの取り扱いの煩わしさも無くその管理も容易である。
従って、上記空間開放部支持部材５の上記積載部材支持部材５ｂが、上記空間開放部３の上記積載部材３ａの上記第２積載部材３ａ２を支持する際は、上記空間開放部支持部材５の上記積載部材支持部材５ｂを引き出し、更に、回動させて上記装置本体０ａ側に設けた凹形状部の上記係合部０ａ３に差し込むだけで、長尺の被転写体（Ａ）の転写用紙を使用する際には、上記空間開放部３の上記積載部材３ａの上記第２積載部材３ａ２の内側に形成された長穴の上記格納部５ｂ３の内部に収容可能になり、上記空間開放部支持部材５の上記積載部材支持部材５ｂの取り扱いの煩わしさも無くその管理も容易である上記画像形成装置０を提供することが出来るようになった。
【図面の簡単な説明】
【００２０】
【図１】本発明の実施の形態例を示す画像形成装置を説明する説明図。
【図２】本発明の実施の形態例を示す画像形成装置の概略を説明する斜視図。
【図３】本発明の実施の形態例を示す画像形成装置の主要部を説明する説明図。
【図４】本発明の実施の形態例を示す画像形成装置の他の主要部を説明する斜視図。
【図５】本発明の実施の形態例を示す画像形成装置の他の主要部の状態を説明する説明図。
【図６】本発明の実施の形態例を示す画像形成装置の他の主要部の他の状態を説明する説明図。
【図７】本発明の実施の形態例を示す画像形成装置の他の主要部を説明する説明図。
【図８】本発明の実施の形態例を示す画像形成装置の他の主要部を説明する展開図。
【図９】本発明の他の実施の形態例を示す画像形成装置の主要部を説明する展開図。
【図１０】従来の画像形成装置の概略を説明する斜視図。
【図１１】従来の画像形成装置の主要部の状態を説明する斜視図。
【図１２】従来の画像形成装置の主要部の他の状態を説明する斜視図。
【符号の説明】
【００２１】
０  画像形成装置、
０ａ  装置本体、
０ａ１  前面、
０ａ２  側面、
０ａ３  係合部、
０ａ３１  係止部
１  原稿画像読み取り手段、
１ａ  前面
２  画像形成手段、
２ａ  像担持体、
２ｂ  帯電器、
２ｃ  画像書き込み装置、
２ｄ  現像装置、
２ｅ  転写器、
２ｆ  定着器、
２ｇ  クリーニング装置、
２ｈ  画像処理部
３  空間開放部、
３ａ  積載部材、
３ａ１  第１積載部材、
３ａ２  第２積載部材、
３ｂ  前面、
３ｃ  係合部、
３ｃ１  係止部
４  排出手段、
４ａ  開口部、
４ａ１  第１開口部、
４ａ１１  第１排紙ローラ、
４ａ１２  分岐爪、
４ａ２  第２開口部、
４ａ２１  第２排紙ローラ
５  空間開放部支持部材、
５ａ  原稿画像読み取り手段支持部材、
５ａ１  格納部、
５ａ２  案内形状部、
５ｂ  積載部材支持部材、
５ｂ１  装置本体係合部、
５ｂ２  積載部材係合部、
５ｂ３  格納部、
５ｂ３１  摺動部、
５ｂ３２  案内溝、
５ｂ４  脱落防止部材、
５ｂ４１  脱落防止部材、
５ｂ４２  脱落防止部材
６  被転写体供給装置
１００  画像形成装置、
１００ａ  装置本体、
１００ａ１  左前面
１０１  原稿画像読み取り装置
１０２  画像形成部
１０３  転写紙排出スペース、
１０３ａ  排紙トレイ、
１０３ｂ  前面
１０４  排出口
１０５  支持部材
１０６  エンドフエンス、
１０６ａ  取り付け部
【図１】
2005062578.tif 000003
【図２】
2005062578.tif 000004
【図３】
2005062578.tif 000005
【図４】
2005062578.tif 000006
【図５】
2005062578.tif 000007
【図６】
2005062578.tif 000008
【図７】
2005062578.tif 000009
【図８】
2005062578.tif 000010
【図９】
2005062578.tif 000011
【図１０】
2005062578.tif 000012
【図１１】
2005062578.tif 000013
【図１２】
2005062578.tif 000014